(57)【要約】【課題】上面部がより外側に位置しないようにして、収納物品の出し入れに広いスペースを必要とせず、さらにファスナー部を閉じる操作がスムーズに行えるバッグを提供する。【解決手段】上面を出し入れ口Ｓとして開放した本体１と、この本体１の後面部２の上端に連結され前記出し入れ口Ｓを開閉自在とした上面蓋部３を有すると共に、前記後面部２の中間部位を外側に折り倒し可能とし、前記上面蓋部３を開放したとき、前記後面部２の折り倒し部分２ａが略水平状態になるまで折り倒され、前記上面蓋体３が略垂直状態になるようにしている。【選択図】    図５
2010162109.tif 000002
【特許請求の範囲】
【請求項１】
上面を出し入れ口（Ｓ）として開放した本体（１）と、この本体（１）の後面部（２）の上端に連結され前記出し入れ口（Ｓ）を開閉自在とした上面蓋部（３）を有すると共に、前記後面部（２）の中間部位を外側に折り倒し可能とし、前記上面蓋部（３）を開放したとき、前記後面部（２）の折り倒し部分（２ａ）が略水平状態になるまで折り倒され、前記上面蓋体（３）が略垂直状態になるようにしたことを特徴するバッグ。
【請求項２】
前記後面部（２）の両側端にそれぞれ上部から下部に向かって切り欠き部（７）を形成し、これら切り欠き部（７）の下端どうしの間に、前記後面部（２）を外側に折り倒し可能とする折り目（８）を設け、さらに前記上面蓋部（３）の両側縁にそれぞれ上端縁（９ａ）が連結され、前記切り欠き部（７）を形成した部分の後面部（２）の側縁にそれぞれ後端縁（９ｂ）が連結された外側カバー（９）によってそれぞれ両襠部（６、６）の上部を覆うようにし、前記上面蓋部（３）の前端と前面部（４）の上端の間に開閉ファスナー（１０）を設け、この開閉ファスナー（１０）の延長ファスナー部（１０ａ）を前記外側カバー（９）の周縁に沿って設けたことを特徴する請求項１記載のバッグ。
【請求項３】
前記外側カバー（９）を曲げ易い生地からなるものとしたことを特徴する請求項２記載のバッグ。
【発明の詳細な説明】
【技術分野】
【０００１】
この発明は、画材用具を収納したり、書道用具を収納したり、書類を収納したり、ノートパソコンを収納したりするなど、各種の物品を収納するバッグに適用することができ、これらバッグ内部に収納した物品を取り出し易くしたバッグに関するものである。
【背景技術】
【０００２】
従来、この種のバッグとしては、例えば図８〜１０に示したように、前面部２１、後面部２２、上面部２３、底部２４および一対の襠部２５を有し、ファスナー部２６によって開閉可能な書道バッグが存在する（特許文献１）。
【０００３】
この書道バッグは、ファスナー部２６が略コの字型を有し、前面部２１の一方の側縁の中間位置から、一方の襠部２５を通って、上面部２３または後面部２４の両側縁の間で延び、さらに他方の襠部２５を通って、前面部２１の他方の側縁の中間位置に至り、かつファスナー部２６が両方の襠部２５において前面部２１の側縁から斜め上に傾斜しているとしている。
【０００４】
そして、この書道バッグは、前面部２１が前面上部２１ａと前面下部２１ｂとからなり、これらは縫合により一体化されており、この縫合部はファスナー部２６を開いたときに折り曲げ部２１ｃとなるとしている。
【０００５】
このように構成された書道バッグは、ファスナー部２６を開くと、前面上部２１ａが外側に折れて、大きな開口部２７を与えるとしており、前面部と後面部を１８０度開くタイプのものと異なり、書道用具の出し入れに広いスペースを必要としないとしている。
【先行技術文献】
【特許文献】
【０００６】
【特許文献１】特開２００８ー１３１９６４号公報（図１、２、４）
【発明の概要】
【発明が解決しようとする課題】
【０００７】
上記従来の書道バッグは、前面部と後面部を１８０度開くタイプのものと異なり、書道用具の出し入れに広いスペースを必要としないとしているが、この書道バッグでも前面上部２１ａが前方の外側に折れて略１８０度開くため、上面部２３がより前方の外側に位置するようになり、依然として書道用具の出し入れに広いスペースを必要とするという課題を有していた。
【０００８】
さらに、従来の書道バッグは、前面上部２１ａが前方の外側に折れて略１８０度開くため、ファスナー部２６を閉じる場合に、この前面上部２１ａを略１８０度折り返して元に戻さないと、ファスナー部２６を閉じる操作がスムーズに行えないという課題を有していた。
【０００９】
そこで、この発明は、上記従来の問題点を解決することをその課題としており、上面部がより外側に位置しないようにして、収納物品の出し入れに広いスペースを必要とせず、さらにファスナー部を閉じる操作がスムーズに行えるバッグを提供することを目的としてなされたものである。
【課題を解決するための手段】
【００１０】
そのため、この発明のバッグは、上面を出し入れ口Ｓとして開放した本体１と、この本体１の後面部２の上端に連結され前記出し入れ口Ｓを開閉自在とした上面蓋部３を有すると共に、前記後面部２の中間部位を外側に折り倒し可能とし、前記上面蓋部３を開放したとき、前記後面部２の折り倒し部分２ａが略水平状態になるまで折り倒され、前記上面蓋体３が略垂直状態になるようにしている。
【００１１】
さらに、この発明のバッグは、前記後面部２の両側端にそれぞれ上部から下部に向かって切り欠き部７を形成し、これら切り欠き部７の下端どうしの間に、前記後面部２を外側に折り倒し可能とする折り目８を設け、さらに前記上面蓋部３の両側縁にそれぞれ上端縁９ａが連結され、前記切り欠き部７を形成した部分の後面部２の側縁にそれぞれ後端縁９ｂが連結された外側カバー９によってそれぞれ両襠部６、６の上部を覆うようにし、前記上面蓋部３の前端と前面部４の上端の間に開閉ファスナー１０を設け、この開閉ファスナー１０の延長ファスナー部１０ａを前記外側カバー９の周縁に沿って設けている。
【００１２】
また、この発明のバッグは、前記外側カバー９を曲げ易い生地からなるものとしている。
【発明の効果】
【００１３】
この発明のバッグは、以上に述べたように構成されており、上面部である上面蓋部がより外側に位置しないようになり、収納物品の出し入れに広いスペースを必要としないようになり、さらにファスナー部を閉じる操作がスムーズに行えるようになった。
【図面の簡単な説明】
【００１４】
【図１】この発明のバッグを画材バッグとした実施形態を示す前面側からの斜視図である。
【図２】この発明のバッグを画材バッグとした実施形態を示す後面側からの斜視図である。
【図３】図１の画材バッグを開いた状態を、収納される画材用具と共に示す斜視図である。
【図４】図１の画材バッグを開いた状態の平面図である。
【図５】図１の画材バッグを開いた状態の断面図である。
【図６】この発明のバッグを書道バッグとした実施形態を示す斜視図である。
【図７】この発明のバッグをビジネスバッグとした実施形態を示す斜視図である。
【図８】従来のバッグの一例を示す斜視図である。
【図９】図８の従来のバッグの側面図である。
【図１０】図８の従来のバッグを開いて、前面上部を外側に折ったときの状態の斜視図である。
【発明を実施するための形態】
【００１５】
以下、この発明のバッグを実施するための形態を、図面に基づいて詳細に説明する。
【００１６】
この発明のバッグは、図１〜５に示したように、画材用具を収納する画材バッグとしたり、図６に示したように、書道用具を収納する書道バッグとしたり、図７に示したように、書類等を収納するビジネスバックなどの各種のバッグとすることができ、上面を出し入れ口Ｓとして開放した本体１と、この本体１の後面部２の上端に連結され、出し入れ口Ｓを開閉自在とした上面蓋部３を有している。
【００１７】
本体１は、前記後面部２と上面蓋部３、前面部４、底部５および一対の襠部６を有しており、後面部２の中間部位を外側に折り倒し可能とし、上面蓋部３を開放したとき、後面部２の折り倒し部分２ａが略水平状態になるまで折り倒され、上面蓋体３が略垂直状態になるようにしている。
【００１８】
すなわち、この発明のバッグでは、前記後面部２の両側端にそれぞれ上部から下部に向かって切り欠き部７を形成し、これら切り欠き部７の下端どうしの間に、前記後面部２を外側に折り倒し可能とする折り目８を設けている。さらに、前記上面蓋部３の両側縁にそれぞれ上端縁９ａが連結され、前記切り欠き部７を形成した部分の後面部２の側縁にそれぞれ後端縁９ｂが連結された外側カバー９によってそれぞれ両襠部６、６の上部を覆うようにしている。そして、前記上面蓋部３の前端と前面部４の上端の間に開閉ファスナー１０を設け、この開閉ファスナー１０の延長ファスナー部１０ａを前記外側カバー９の周縁に沿って設けたものとしている。なお、この延長ファスナー部１０ａは、前記外側カバー９の周縁からさらに延長したものとしてもよい。
【００１９】
この発明のバッグは、画材バッグとした場合には、図示したように、画材用具（図示せず）の収納容器１１が本体１内部に収納されている。この収納容器１１は、画材用具を取り出した後、本体１内部から取り出し、水を注ぎ入れれば筆洗い用バケツとして使用できるものとしている。さらに、前記上面蓋部３は、画材バッグや書道バッグとした場合には、水に濡れた画材用具や収納容器１１、水に濡れた書道用具を本体１内部に収納したときに、これらの水分が蒸発して乾き易くするため、通気性の良いメッシュ生地とするのが好ましいが、ビジネスバッグとした場合には、特に通気性の良いメッシュ生地とする必要はない。
【００２０】
また、この発明のバッグは、画材バッグ、書道バッグ、ビジネスバッグの何れにした場合にも、後面部２と前面部４には手提げ紐１２が取り付けられている。
【００２１】
前記外側カバー９は、略四角形状に形成しており、全体を曲げ易い生地からなるものとしてもよいが、図示したものは、略四角形状に形成した外側カバー９の後部上端と前部下端を結ぶ対角線より前側の略三角形状部９ｃは、本体１を構成する生地と同様の生地、すなわち本体１の保形性を維持できる程度の比較的曲げ難い生地としているが、前記対角線より後側の略三角形状部９ｄは、本体１を構成する生地より非常に曲げ易い生地としている。
【００２２】
前記開閉ファスナー１０は、務歯列を有する一対のテープ１３ａ、１３ａからなり、一方のテープ１３ａを上面蓋部３の前端に沿って取り付け、他方のテープ１３ａを前面部４の上端に沿って取り付け、これらテープ１３ａ、１３ａの務歯列をスライダー１４によって開閉操作できるようにしている。また、前記延長ファスナー部１０ａは、一方のテープ１３ａを外側カバー９の略三角形状部９ｃの周縁に沿って取り付け、他方のテープ１３ａを前面部４の上端から突出させている。
【００２３】
以上のように構成したこの発明のバッグの使用状態を、図１〜５に示した画材バッグを例にして説明する。
【００２４】
先ず、この発明のバッグは、図１に示したように閉じられた開閉ファスナー１０のスライダー１４の引手を手指で摘まみ、このスライダー１４を開操作することによって開閉ファスナー１０を延長ファスナー部１０ａまで開き、上面蓋部３の前端を手指で摘み上げる。
【００２５】
すると、本体１の出し入れ口Ｓが開放され、後面部２の折り倒し部分２ａが略水平状態になるまで折り倒され、上面蓋体３が略垂直状態になる。すなわち、上面蓋部３と後面部２の折り倒し部分２ａが、図５に示したように略Ｌ字状となって、出し入れ口Ｓが開放されるので、従来のバッグのように前面部の上部が前方の外側に折れて略１８０度開くものに比べて、収納物品の出し入れに広いスペースを必要としないものになる。しかも、前記出し入れ口Ｓは、底部５の全体面積よりも大きく広げられ、画材用具や収納容器１１の出し入れがスムーズ行えるものなる。
【００２６】
前記上面蓋部３と後面部２の折り倒し部分２ａが略Ｌ字状となって、出し入れ口Ｓが開放された状態では、外側カバー９の略三角形状部９ｃによって上面蓋部３が垂直状態になるのを維持されるため、この略三角形状部９ｃは前記したように本体１の保形性を維持できる程度の比較的曲げ難い生地にするのが好ましい。また、このように出し入れ口Ｓが開放された状態では、外側カバー９の略三角形状部９ｄは折り曲げられた状態となるので、本体１を構成する生地より非常に曲げ易い生地とするのが好ましい。
【００２７】
次に、本体１の出し入れ口Ｓを閉じる場合には、前記延長ファスナー部１０ａを手に持ち、この延長ファスナー部１０ａまで開いた開閉ファスナー１０のスライダー１４の引手を手指で摘まみ、このスライダー１４を閉操作することによって開閉ファスナー１０を閉じて行けば、このスライダー１４の閉操作に伴って上面蓋体３が引っ張られて行き、この上面蓋体３によって本体１の出し入れ口Ｓが閉じられる。
【００２８】
そのため、この発明のバッグでは、従来のバッグのように、ファスナー部を閉じる場合に、前面部の上部を略１８０度折り返して元に戻すような手間は不要となり、ファスナーを閉じる操作がスムーズに行えるものになる。
【００２９】
また、前記外側カバー９は、上面蓋体３によって本体１の出し入れ口Ｓが閉じられた状態では、上面蓋体３と左右襠部６の間の隙間を塞いでいるので、出し入れ口Ｓが隙間を生じることなく閉じられることになる。
【００３０】
なお、この発明のバッグは、書道バッグ、ビジネスバッグなどの各種のバッグとした場合にも、前記画材バッグと同様の使用状態となり、収納物品の出し入れに広いスペースを必要としないようになり、さらにファスナー部を閉じる操作がスムーズに行えるようになる。
【符号の説明】
【００３１】
１  本体
２  後面部
２ａ  折り倒し部分
３  上面蓋部
４  前面部
６  襠部
７  切り欠き部
８  折り目
９  外側カバー
９ａ  上端縁
９ｂ  後端縁
１０  開閉ファスナー
１０ａ  延長ファスナー部
Ｓ  出し入れ口
【図１】
2010162109.tif 000003
【図２】
2010162109.tif 000004
【図３】
2010162109.tif 000005
【図４】
2010162109.tif 000006
【図５】
2010162109.tif 000007
【図６】
2010162109.tif 000008
【図７】
2010162109.tif 000009
【図８】
2010162109.tif 000010
【図９】
2010162109.tif 000011
【図１０】
2010162109.tif 000012